(57)【要約】キー溝管（１２）に取り付けられ連結して巻き付けられた二枚或いはそれ以上の織物或いは他の相応する材料のシート（１７）からなり、キー溝管（１２）はブラインド、天幕などに用いるための従来のスプリング機構に適合し、スプリング機構は、一枚またはそれ以上の織物シート（１７）がその伸張したまたは巻き付けられていない位置から解放されるときキー溝管（１２）に織物シートが巻き戻すように元応力が与えられ、そしてキー溝管（１２）とスプリングが織物（１７）を巻いたり巻きを解く間に移動することができる、格納式自動回転ブラインド、天幕またはカバー装置（１１）。
2005533948.tif 000002
【特許請求の範囲】
【請求項１】
キー溝管に取り付けられ連結して巻き付けられた二枚或いはそれ以上の織物或いは他の相応する材料のシートからなり、キー溝管はブラインド、天幕などに用いるための従来のスプリング機構に適合し、スプリング機構は、一枚またはそれ以上の織物シートがその伸張したまたは巻き付けられていない位置から解放されるときキー溝管に織物シートが巻き戻すように元応力が与えられ、そしてキー溝管とスプリングが織物を巻いたり巻きを解く間に移動することができる、格納式自動回転ブラインド、天幕またはカバー装置。
【請求項２】
キー溝管とスプリングの移動は装置が設置されるべき特定の用途によって車輪または車輪ユニット等をもつスプリング端およびアイドラー端を備えることによって補助されている、請求項１記載の格納式自動回転ブラインド、天幕またはカバー装置。
【請求項３】
車輪が適切な軌道で回転を引き起こし、キー溝管とスプリング機構の移動中に軌道が車輪を自由回転させ同時にスプリングに張力を保持する、請求項１または２記載の格納式自動回転ブラインド、天幕またはカバー装置。
【請求項４】
特に天幕として用いるとき、装置全体はひとつの領域の上部、または天井の下部に吊り下げられ、スプリング端とアイドラー端は滑車車輪を備え、ブラインドまたはカバー材料が巻かれ巻きを解かれる方向に管を移動させるようにガイド支持ワイヤ上を走行するように配置され、しかし管の軸に沿った横の運動を制限し、これによって全体として配置を支持するだけでなく安定性を与える、請求項１記載の格納式自動回転ブラインド、天幕またはカバー装置。
【請求項５】
滑車車輪ユニットが、スプリング上の伸張を保持し、車輪を自由回転させ、キー溝管およびスプリング機構を移動させるためガイド支持ワイヤに配置されている、請求項４記載の格納式自動回転ブラインド、天幕またはカバー装置。
【請求項６】
三枚の織物シートがキー溝管の周りに巻きつけられ、これによって一対のシートを天幕または有効な天井を形成するようにし、同時に三枚目のシートを中央キー溝管から落下させ、他の2枚が巻きを解かれるとき、壁部分または仕切りを形成する、請求項１ないし４のいずれか1項記載の格納式自動回転ブラインド、天幕またはカバー装置。
【請求項７】
二またはそれ以上の自動回転装置がカバーされる領域を広げるように整列して連結される、請求項１ないし６のいずれか1項記載の格納式自動回転ブラインド、天幕またはカバー装置。
【請求項８】
一枚の水平な天井パネルが一枚の材料シートから形成され、同時に第二のシートは垂直壁を形成し、キー溝管は壁および天井部分の接合点として作用する、請求項１ないし３のいずれか1項記載の格納式自動回転ブラインド、天幕またはカバー装置。
【請求項９】
自動回転構造は伸張できる垂直パネルとして機能し、自動回転装置の上端および下端上の車輪は軌道に保持され側部移動できるように位置を調整する、請求項１ないし３のいずれか1項記載の格納式自動回転ブラインド、天幕またはカバー装置。
【発明の詳細な説明】
【技術分野】
【０００１】
本発明は、ブラインド、天幕およびカバーのような品目のための従来のスプリング機構に基づく自動回転装置に関する。しかし、本発明はそれらに制限されるように解釈されるべきではなく、本発明が適当に採用できる類似の配置は広告サイン等を含むことも包含されることを意味する。
【背景技術】
【０００２】
従来のスプリングブラインドはいわゆる中空のキー溝管を備え、適当なブラインド織物または他の材料の一端は、材料の残余を包むかまたは管の周縁部の周りに回転させる。スプリング機構は中空管内に設けられ、それ自身適当なブラケット間に支持される。ブラインド織物は、通常引張って、任意の望む長さに（管に巻かれた材料の限度まで）巻きを解くことができるが、管がその軸の周りに回転し、これによってスプリング機構を巻き込む（すなわち、さらに伸張する）ことになる。従来の自由に吊るしたブラインドでは、ロックする手段もまたそれ自身によってスプリングが巻きを解くことを妨げる。しかしスプリング機構をゆるめるとき、管は広げられた材料をそれに再び巻き戻すことができる。
このような配置は、同じ原理をカバー（例えば水泳プールカバー）または天幕を特定領域に広げる必要がある他の場合にも応用できるが、垂直に吊るすブラインドに特に適当である。しかし、ブラインドまたはカバーを垂直に吊るさない場合、（通常重力で作用するピンの形で）巻き戻す手段に対してブラインドを確保するロックは、フックまたは止めの配置のようなある適当な配置によって保持されるので必要がない。
しかし、このような場合、特にプールカバーや外の天幕のような水平配置では、手軽に得られるカバーの有用な長さに制限がある（すなわち巻きを解くことができる材料の長さを考慮して）広げたり巻戻したりする材料をさらに長くするために便宜を図るスプリング機構をさらに大きくする必要がある。これは勿論、巻戻す必要があるさらに長い材料以上にさらに大きいスプリングの伸張の増加に対して引張ることが必要となるので、操作が困難になることを意味する。従ってさらに大きい区域を被覆するための解決法は知られてない。
【発明の開示】
【発明が解決しようとする課題】
【０００３】
従って本発明の目的は前記欠点を若干または全部、改良した格納式回転装置を提供することにより解決するかまたは少なくとも改善することであり、他の点では従来のスプリングタイプのブラインドまたは天幕機構のキー溝管の周りを回転する一枚以上の材料シート（および特に二枚のシート）を使用することを基本とし、各シートは一般に（しかし必須ではないが）反対方向に伸張し、二枚の材料シートが反対方向に引張られる場合、伸張した材料の全長は一枚のシートと比較した場合、管の各回転に対し有効に二倍である。
【０００４】
この方法では、スプリング機構の特定サイズによって覆われる全長はそれ自体有功に二倍となる。これはスプリングが管の回転によって捻られる事実から起こる。管の所定数の回転に対し、適用範囲は二倍になる。勿論、キー溝管とスプリングが固定したブラケット間に支持されたままである従来のスプリングブラインド機構と比較すると、本発明のキー溝管は自動回転装置が巻きを解くので移動が自由であり、（スプリングとキー溝管が従来の配置のように固定位置に保持されている代わりに）ひとつの織物位置の自由端が確実に固定されまたは取り付けられている。
【０００５】
天幕として特に用いる際に従来の配置では、弛み、すなわち大きい面積にわたり広げられた材料の重量と安定性、この問題は本発明ではキー溝管の移動、およびスプリングの伸張により大きく減らされることが一般に見出された。
【課題を解決するための手段】
【０００６】
本発明によれば、キー溝管の周りに連結して取り付けられ巻かれた二枚以上の織物または他の適当な材料のシートからなる格納式自動回転ブラインド、天幕またはカバー装置を提供する。キー溝管はブラインド、天幕などに用いるための従来のスプリング機構または類似のものに適合し、スプリング機構は、一枚またはそれ以上の織物シートがその伸張したまたは巻きを解いた位置から解放されるときキー溝管に織物シートが巻き取られるように元応力が与えられ、そしてキー溝管とスプリングが巻いたり巻きを解く間に移動することができる。
【０００７】
端部（すなわちスプリング機構端および反対側のアイドラー端）は通常従来のブラインドの二個の固定したブラケット間に支持され、天幕配置は車輪または車輪ユニットまたは車輪または車輪ユニット、往復台等に取り付けられたブラケットを備える。
【０００８】
車輪または車輪ユニット等は軌道等に置かれスプリングがその伸張を失わないようにする。軌道に置かれた車輪ユニットはスプリング伸張を吸収しスプリング伸張がゆるめられないようにするが、同時に車輪を自由に回転し、キー溝管とスプリングを軌道に沿って前後に移動させる。
【０００９】
従って、本発明のひとつの例では、領域が被覆される場合、例えば、プール、パーゴラまたはガラス屋根の上は、特に被覆されるべき領域の上にカバー織物を保持することにより、このような車輪と軌道が管の回転を補助し、これにより管とその材料の回転を助ける。この配置はキー溝管および材料のための固体支持体に対し大きい安定性を与える。とにかく任意のそのような車輪を手軽に被覆される領域上に軌道で自由に移動できるようにし、軌道は必要な隙間を設ける。車輪のタイプ、車輪の数および車輪の配置は装置が置かれる特定の用途による。
【００１０】
また任意のそのような車輪の位置は用いられる特定のユニットの設計でのいくつかの要素による。同様に任意の適当なローラータイプの配置がそのような車輪の代わりに用いられる。従って幾つかの幾何学上の配置が可能であるが、具体例が天幕またはカバーとして作用する場合、スプリング端とアイドラー端に取り付けた車輪が特に有用であることが見出された。
【００１１】
日除けカバーおよび天幕に適する特定例では、すなわち全装置が有効に一定領域上、または天井の下（例えばガラス天井）にも有効に吊り下げられる場合、スプリング端と反対側のアイドラー端は車輪を備えることができ、または車輪ユニットを手軽に配置してガイドワイヤ等の上を走行し、ブラインドまたはカバー材料が巻かれまたは巻きを解かれる方向に管が移動することが出来るようにするが、管の軸に沿った横の動きを制限し、これによって全体として配置を支持するだけでなく安定性を与える。
【００１２】
この配置を助けるために、車輪ユニット等は好ましくは四個のプーリータイプの車輪を収容し、二個の車輪は上部に置きワイヤ上を回転し二個の車輪はワイヤの下に置く。車輪ユニットはスプリングの伸張を保持するが、同時に車輪の滑らかな回転を可能にする。この場合、車輪ユニットはワイヤを被包しているので車輪ユニットが材料を巻きそして巻きを解く間に車輪はワイヤを取り外さない。
【００１３】
一般にここに記載した任意のこのような配置では、織物または材料の一枚のシートの一端はその意図する用途に適当な位置で確保されるが、同時に他の織物シート（二枚が用いられる場合）の他端は、従来の一枚のシートの配置でのブラインド材料の自由端に相当し、従って回転装置が巻き取りと巻きを解くことをするときスプリングとキー溝管が移動または動くようにする。
【００１４】
装置にさらに伸張とバランスを与えるため、アイドラー端に逆スプリングを置くことができ、キー溝管は二個のスプリングを持つことになり、移動するときさらに大きい力と均一性を装置に与え、材料を巻き取り巻きを解く。
【００１５】
しかし、これらは好適例であるが、得に水泳プールのカバー、または一般の天幕配置に用いるためのような場合には、全体または他の配置として本発明の用途に関して実際にそのような制限を意味するものではないが、特に一定の特定の天幕等に用いられ、二枚以上のシートが用いられる場合、一以上のそのような端部は必要に応じて固定された位置に保持することができる。
【００１６】
本発明の例では、日陰のためにプールカバー、グランドカバーとして、ガラス室カバー、トレーラーハウス建て増し等々として実際に応用できる。この点で、織物シート三枚を用いる特定の一例は、一対のシートは天幕または有効な天井を形成するが、三枚目のシートは中央のキー溝管から吊り下ろし壁部分または仕切りを形成する。
【００１７】
また自動回転装置は水泳プールカバーとして用いられる場合に各一枚の材料が手軽に広げられるプールの部分に対応する形であることができるので、二枚の材料シートは一般の管から巻きを解く際にかなり有利である。
【００１８】
長所のある本発明による二個以上の自動回転装置は共にカップルとして被覆すべき領域に広げることができる。この方法では、一枚の材料パネルの端部は適当な手段によって、次の近接した回転装置から反対方向に伸びる別の材料パネルの端部に連結される。この配置はまた区画に分けられる一個の非常に長い材料片を持つことにより達成され、適当な地点に若干のスプリングとキー溝管と車輪を配置して一個のユニットとして材料の巻きと巻きを解くことを可能にする。
【００１９】
プールカバーとして用いるとき、本発明の装置は簡単な引き伸ばす防水シートまたはカバーよりも完全に支持される利点がある。この配置にしたがうひとつの利点は落ちてきた葉などをカバーの上にさらに容易に保持し（プールに落ちることを防止し）プール領域から移動させ、適当なスプレッダータイプの配置によって除去でき、機構を引っ込めている間に側部に落とすことができる。
【００２０】
本発明を用いる際に見出された一の利点は、従来の配置での一枚のパネルを巻く場合と比べて、二枚以上の織物パネルを一緒に巻く場合に織物を巻く際にそのしわをかなり減らすことである。
【００２１】
本発明の別の例では、一枚の水平の「天井」パネルを一枚の材料シートから形成し、同時に第二のシートは垂直「壁」を形成する天幕が考えられる。この場合のキー溝管は壁と天井部分の接合点として月並みに作用し、それ自体はさらに安定性と一体性をそのような構造に与えるように堅固な構造である。
【００２２】
本発明の別の例は伸張できる垂直パネルとして自動回転する構造を用いることにある。この例では自動回転装置の一端、すなわち下端の車輪は、前記例で用いられたものに垂直である。上部と下部の車輪は走行でき、軌道またはガイド等に支持される。この例は広範な戸外で、または垂直スクリーンや一時的な壁として有用である。
【００２３】
大多数の場合におけるスプリング機構が用いられるが、材料を巻きそして巻きを解くことが唯一の方法ではなく、（天幕およびブラインドとして用いるとき）スプリング機構を置き換えて電気モーターを導入することができるがさらに材料を巻きそして巻きを解くときに移動するキー溝管を備える。これは安全シャッター、ローラーシャッター等に用いられるものに似ているアルミニウムのようなさらに堅いタイプの材料に適する。
【００２４】
可動または移動できる天幕として用いるための本発明の別の例は軌道またはワイヤの長さに沿って位置する仮の固定個所をもつことであり、装置を全体のユニットとして配置し、静止し軌道に沿ってどこでも、例えば日陰のために太陽方向に従って伸張することができる。
本発明の例はまたホースリールまたは引っ込み式の電気コードとして、一時的な果実のネット、コンベヤ等として実際に使用できる。
【発明を実施するための最良の形態】
【００２５】
図面、特に図１および２の回転装置を一般に参照すると、一般に参照される１１は、その長さに沿って走行するキー溝１３を有するキー溝管１２からなる。キー溝管１２の各端に位置するスプリング機構端１４、およびアイドラー端１５は、回転装置１１を支持し任意の適当な軌道２２において回転する車輪ユニット１６に適合する。
【００２６】
カバー材料１７の２枚のシートはキー溝管１２に巻き付く。材料１７の各シートの内側端は、見えないが、既知の方法で（一枚よりは二枚のシートが適合することを除き）管１２の長さに沿って走行するキー溝スロット１３内に適合する。二枚の材料シート１７は自由端で棒部材１８を各々備え、シートの引張りと一般にその自由端を支持する際に補助する。車輪２０は棒部材１８の端部に適合し、軌道２２内に位置する。一またはそれ以上のフック１９または類似の引張るものを材料シート１７の端部の付近に備えさらに掴み引張ることを容易にし、あるいは壁２７等の固定したものに対し各材料シート１７を適当な場所に保持する（図に示していない）。この場合に引張り棒４０はフック１９の一つに示したように用い、この場合に材料１７の一の自由端は中央で保持されるが、他端は適当な手段（図には示していない）で保持される。
【００２７】
自由端がフック１９によって引張られている棒部材１８は、その自由端が関連した軌道２２に沿って移動する際に補助するために引張られ、特にその領域は比較的広く支持し使用を容易にする。
【００２８】
図３では、同一のコンポーネントが同じ参照番号で参照される代わりの配置がある。しかし、この実施例では軌道２２に位置する車輪ユニット１６は、その代わりとしてガイド支持ワイヤ２３に配置した車輪ユニット１６の代替セットで置換される。
【００２９】
使用時には、図１ないし３のいずれかの実施例で示したように本発明は同じ方法で作用する。すなわち、装置の巻きを解くため、一枚の材料シートの一端を掴んで引張ることだけが必要であるが、他の材料シートの端部は任意の適当な手段によって移動を妨げる。第一のシートを引張るとき、回転装置が巻きを解き第一のシートが引張られる方向で装置それ自体が引張られることになる。備えられた車輪上で回転して装置はその移動を補助される。配置の結合構造によって、装置（キー溝管およびスプリング）は二枚の材料シートによって全長の半分の距離、すなわち第一のシート自体の端部が移動した有効距離を移動する。
【００３０】
他方、回転装置自体は固定され両方のシートが同時に反対方向に同時に引張られるとき巻きを解く配置が一定の状態ではさらに望ましいことは理解されるだろう。天幕の配置では、また材料の各自由端が移動に対して確保されるが、回転装置は、例えば壁と天井の配置を形成するように二つの端部の間に最短ラインから接線に沿って移動することになる。
【００３１】
図４は天幕とサイドカバーとして用いるのに適した実施例であり、図１と図２に示したものと似ている成分はまた同じ数字で示している。この場合、一の自由端の棒部材１８は適当な手段によって例えば壁２７に固定されるが、他の自由端は伸張し屋根を形成し、軌道２２は曲線軌道区画２９を備え、自由端の車輪１６は自由端が伸張しさらに壁をつくるとき下方に移動する。
【００３２】
図１と図２と似たパーツには同じ参照番号を用いるが、垂直スクリーン、ロールアウトドアまたは一時的壁パネルとして用いるため図５を参照すると、自動回転装置１１は、キー溝管１２からなる。スプリング１４とアイドラー端１５は車輪ユニット１６に取り付けられ、軌道２２に配置され回転する。棒部材１８をもつ他の自由端が、例えば出入り口を左から右に閉めるように、水平に伸張するとき、適当な手段によって、一の自由端は壁２７に連結される。車輪１６は地面に沿って置いた軌道２２で、その上の反対側の軌道２２で移動し、この場合の装置は垂直に占めて前後に移動することができる。
【００３３】
以上の記述は本発明の幾つかの実施例のみであり、当該分野での当業者による変更は本発明の範囲から逸脱することなく行うことができる。
【図面の簡単な説明】
【００３４】
【図１】巻き上げるかまたは縮める状態で、本発明によれば、天幕として用いるのに特に適した回転装置の説明図である。図１Ａは軌道内側の車輪ユニットに取り付けたスプリング端を示す天幕として使用するための本発明の実施例の説明図である。
【図２】巻きを解いたまたは伸張した状態での図１による回転装置の説明図である。
【図３】カバーとして使用するための図１および図２に示したものと類似の配置を示す説明図である。ここでは伸張した位置のみを示し、異なる車輪ユニットがガイド支持ワイヤ上を移動する。図３Ａはガイドワイヤに関連して車輪ユニットに結合したスプリング端を示す天幕として使用するための本発明の実施例の説明図である。
【図４】屋根および壁カバーとして使用するための伸張した形でここに示した図1および図２に示されるものに類似の配置を示す説明図であり、軌道は曲線軌道区画を備え、車輪が壁をつくるように下方へ回転する。
【図５】伸張した垂直パネルとして使用するための本発明の実施例の正面図であり、ここでは伸張した形のみを示し、この場合のパネルは左から右へ引張られる。
【符号の説明】
【００３５】
１１  本発明の装置
１２  キー溝管
１３  キー溝スロット
１４  スプリング機構端
１５  アイドラー端
１６  車輪ユニット
１７  カバー材料シート
１８  棒部材
１９  フック
２０  車輪
２２  軌道
２７  壁
４０  引張り棒
【図１】
2005533948.tif 000003
【図２】
2005533948.tif 000004
【図３】
2005533948.tif 000005
【図４】
2005533948.tif 000006
【図５】
2005533948.tif 000007
【国際調査報告】
2005533948.tif 000008
2005533948.tif 000009